(57)【要約】【課題】電源と通信線が同一になって接続されている室外機と室内機からなる空気調和機で、この電源通信線が入り切りされた場合に、電源から通信回路による回り回路が構成され通信回路の破壊を避けることにより、通信を継続する。【解決手段】通信回路は、室外通信手段１１と、給電手段１２と、室内通信手段２１と、受電手段２２と、室内通信制御手段２３と、室内主電源入切手段２４からなり、給電手段２２からの受電後に室内主電源入切手段２４により、室内機の電源を投入することで、通信回路の破壊を防止する。【選択図】図１
2009253661.tif 000002
【特許請求の範囲】
【請求項１】
室外通信手段と給電手段を有する室外機と、室内通信手段と受電手段と室内主電源切り換え手段を有する室内機からなり、前記室外機と室内機は電源兼通信線にて接続され、前記室外機は給電手段により前記室内機に電力を供給し、室内機はこの電力を前記受電手段により受電し、この電力により前記室内通信手段が動作して室外機との通信を開始するとも共に、前記室内主電源切り換え手段により電力源を主電源側に切り換えることを特徴とする空気調和機の通信回路。
【請求項２】
室内機に通信切換手段を設け、室内機が受電するまでは前記通信切換手段をオフし、正常に受電後に通信切換手段をオンした後、室外機との通信を行うことを特徴とする請求項１に記載の空気調和機の通信回路。
【請求項３】
室内機に室外機からの受電手段を切り離し主電源からの電源に切り換える通信電源切換手段を有し、室外機からの受電により室内通信手段は、主電源をオンさせると共に、前記通信電源切換手段を切り換えて受電手段からの電源を主電源に切り換えることを特徴とする請求項１ないし請求項２のいずれかに記載の空気調和機の通信回路。
【請求項４】
室内機に室外機からの通信異常を判定する通信異常判定手段を設け、室外機からの通信が異常であることを判定した場合、室内機の主電源切換手段をオフすることを特徴とする請求項１から３のいずれか１項に記載の空気調和機の通信回路。
【請求項５】
室内機に室外機からの通信無応答タイマーを設け、室外機からの通信が一定時間途絶えた場合、室内機の主電源切換手段をオフすることを特徴とする請求項１から４のいずれか１項に記載の空気調和機の通信回路。
【発明の詳細な説明】
【技術分野】
【０００１】
本発明は、室内機と室外機間で、同一接続線にて電源供給と通信を行う空気調和機の通信回路に関するものである。
【背景技術】
【０００２】
従来、この種の回路としては、室内機又は室外機のどちらか一方から電源が供給され、電源の供給と同時に室内機と室外機の通信回路が接続され、互いに通信が行われるものであった（例えば、特許文献１参照）。
【０００３】
図６は、特許文献１参照に記載された従来の通信回路を示すものである。図６に示すように、室外機と室内機の両機器間に交流主回路電流を供給しうる２本の電源線（４，５）と１本の通信線（１９）を配設すると共に、電源線（４，５）の電圧からその電圧よりも低い通信用の直流電圧を得る直流電源回路（４０）と、両機器側にそれぞれ直列に設けられた送信用および受信用ホトカプラ（５０，７０，１３，２３）とを備え、第１の機器側の送信用および受信用ホトカプラ（７０，２３）は通信線（１９）を介して第２の機器側の送信用および受信用ホトカプラ（５０，１３）と直列に接続され、かつ直流電源回路（４０）の出力端に接続され、さらに通信線（１９）に通信用の直流電源電圧を上回る電圧が印加された時に警報信号を出力する手段（７３，５３）から構成されている。
【特許文献１】特開平８−５１６７５号公報
【発明の開示】
【発明が解決しようとする課題】
【０００４】
しかしながら、上記従来の構成において、室外機と室内機間で、電源スイッチ３の投入と同時に電源線４，５、通信線１９に通電される。この際、電源線４と電源線５の投入のタイミングが遅れ、電源線５が後から室外機側に通電された場合、電源線間に挿入されたノイズカットコンデンサ９０の影響により、電源線４から通信線１９を通り、電源線５に帰る回り回路が構成される（図６の破線→のライン）。このとき、送信用ホトカプラ２３と受信用ホトカプラ７０には、直流電源回路４０で供給される以上の電圧が瞬時に印加される。この電圧がホトカプラの絶対最大定格を超える場合に破壊にいたる恐れがある。また、電源端子６，７間に緊急停止のための切り換え緊急停止スイッチ９１が付けられた場合や、電源端子６、７の結線不良により電源線５が欠相になった場合でも同様なことが考えら、通信回路の送信用、受信用ホトカプラや直流電源回路を破壊する課題を有していた。
本発明は、前記従来の発明を解決するものであり、室外機と室内機の電源線が断線され、その後、通電された場合にも、通信回路が破壊しない通信回路を提供することを目的とする。
【課題を解決するための手段】
【０００５】
前記課題を解決するために、本発明の通信回路は、室外通信手段と給電手段を有する室外機と、室内通信手段と受電手段と室内主電源切り換え手段を有する室内機からなり、前記室外機と室内機は電源兼通信線にて接続され、前記室外機は給電手段により前記室内機に電力を供給し、室内機はこの電力を受電手段により受電し、この電力により前記室内通信手段が動作して室外機との通信を開始するとも共に、前記室内主電源切り換え手段により電力源を主電源側に切り換える構成としてある。
【０００６】
これにより、室内機と室外機間の電源の投入タイミングが遅れた場合でも通信回路の破壊を無くすようにする。
【発明の効果】
【０００７】
本発明の電源通信回路は、電源スイッチを有する室外機または室内機からの給電を検知して、その電源にて通信制御手段を駆動して、受電側機器の主電源を通電させることにより、通信回路と受電側の電源が同時に通電されることを避けるものである。
【発明を実施するための最良の形態】
【０００８】
第１の発明は、室外通信手段と給電手段を有する室外機と、室内通信手段と受電手段と室内主電源切り換え手段を有する室内機からなり、前記室外機と室内機は電源兼通信線にて接続され、前記室外機は給電手段により前記室内機に電力を供給し、室内機はこの電力を受電手段により受電し、この電力により室内通信手段が動作して室外機との通信を開始するとも共に、前記室内主電源切り換え手段により電力源を主電源側に切り換えることにより、通電開始時の電源投入タイミングによる通信回路の破壊を防止することができる。
【０００９】
第２の発明は、第１の発明において、室内機に室内通信切り換え手段を設け、室外機からの受電後に、送受信切り換え手段をオンさせることにより、受電開始後に室内通信手段を接続することにより、より確実に通信回路の破壊を防止することができる。
【００１０】
第３の発明は、第１ないし第２の発明において、室内機の主電源と給電手段からの電圧を切り換える室内通信制御電源切り換え手段を設け、受電後に室内通信制御手段は、室内主電源切り換え手段及び室内通信切り換え手段をオンさせると共に、室内電源切り換え手段をオンして、受電手段からの電源を主電源による電源に切り換えることにより、室外機の給電の負担を無くすることができる。
【００１１】
第４の発明は、第１のから第３の発明のいずれかにおいて、室内機に室外通信の通信異常判定手段を設け、室外機からの通信が異常であることを判定した場合、室内機の主電源切り換え手段をオフすることにより、電源線の異常による通信回路の破壊を防止することが出きる。
【００１２】
第５の発明は、第１から第４の発明のいずれかにおいて、室内機に室外からの通信無応答タイマーを設けて、室外機からの通信が一定時間途絶えた場合、室内機の主電源切換手段をオフすることにより、電源通信線の異常を検知して、通信回路の破壊を防止することができる。
【００１３】
以下、本発明の実施の形態について図面を参照しながら説明する。
【００１４】
（実施の形態１）
図１は、本発明の実施の形態１における空気調和機の通信回路のブロック図である。同図において、図６と同じ構成要素については同じ符号を用い説明を省略する。
【００１５】
図１において、室外通信手段１１と、給電手段１２とからなる室外機１と、室内通信手段２１と、受電手段２２と、室内通信制御手段２３と、室内主電源入切手段２４と、室内主電源２５とからなる室内機２からなる。
【００１６】
以上のように構成された空気調和機の室外機１は室外通信手段１１により室内機２に通信を行うとともに給電手段１２により室内機２側に電力を供給し、室内機２はこの電力を受電手段２２により受電し、この電力により室内通信手段２１が動作することにより、室内通信手段２１は室外機１と通信を開始するともともに、室内主電源入切手段２４を投入することにより、室内機２の主電源を投入する。
【００１７】
（実施の形態２）
図２は、本発明の実施の形態２における空気調和機の通信回路のブロック図である。同図において、図１と同じ構成要素については同じ符号を用い説明を省略する。
【００１８】
図２において、請求項２に記載の空気調和機の室内機２は、室内通信切り換え手段２６からなる。
【００１９】
以上のように構成された室内機２は、室外機１からの受電が完了するまでは通信切り換え手段２６をオフし、正常に受電後に通信切り換え手段２６をオンすることにより、室外機１との通信をする。
【００２０】
（実施の形態３）
図３は、本発明の実施の形態３における空気調和機の通信回路のブロック図である。同図において、図２と同じ構成要素については同じ符号を用い説明を省略する。
【００２１】
図３において、請求項３に記載の空気調和機の室内機２は、室内電源切り換え手段２７からなる。
【００２２】
以上のように構成された室内機２は、室外機１からの受電後に室内電源切り換え手段２７を切り換え、受電手段２２からの電源を切り離して、主電源からの電源に切り換える。
【００２３】
（実施の形態４）
図４は、本発明の実施の形態４における空気調和機の通信回路のブロック図である。同図において、実施の形態３で説明した部分については同じ符号を用い説明を省略する。
【００２４】
図４において、請求項１から請求項３のいずれかに記載の通信回路は、室内機２において室外機１からの通信異常を判定する通信異常判定手段２８からなる。
以上のように構成された空気調和機の室内機２の通信回路は、室外機１からの通信が異常であることを判定した場合、室内主電源入切手段２４をオフする。
【００２５】
（実施の形態５）
図５は、本発明の実施の形態５における空気調和機の通信回路のブロック図である。同図において、実施の形態４で説明した部分については同じ符号を用い説明を省略する。
【００２６】
図５において、請求項１から請求項４に記載の通信回路は、室内機に室外からの通信無応答タイマー２９からなる。
【００２７】
以上のように構成された空気調和機の室内機２の通信回路は、通信無応答タイマー２９により室外機からの通信が一定時間途絶えた場合に、室内主電源入切手段２４をオフする。
【産業上の利用可能性】
【００２８】
以上のように、本発明にかかる空気調和機の通信過回路は、室外機または室内機の主電源の投入を、通信線を介しての受電後に行うことにより、電源投入時の主電源からの回り回路による通信回路の破壊を避けることが可能であるので、電源線間に緊急停止スイッチを入れた場合や電源端子の接続不良による電源線間の通電タイミングのずれが起こった場合でも通信回路の破壊を避けることができる。
【図面の簡単な説明】
【００２９】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】本発明の実施の形態５における空気調和機の構成ブロック図
【図６】従来の空気調和機における構成ブロック図
【符号の説明】
【００３０】
１  室外機
１１  室外通信手段
１２  給電手段
２  室内機
２１  室内通信手段
２２  受電手段
２３  室内通信制御手段
２４  室内主電源入切手段
２５  室内主電源
２６  室内通信切り換え手段
２７  室内電源切り換え手段
２８  無応答タイマー
３  電源スイッチ
４０  直流電源回路
４、５  電源線
６  室内端子
１９  通信線
７  室外端子
７０、５０  受信用ホトカプラ
２３、１３  送信用ホトカプラ
９０  ノイズカットコンデンサ
９１  緊急停止スイッチ
５３  警報信号
７３  警報信号
【図１】
2009253661.tif 000003
【図２】
2009253661.tif 000004
【図３】
2009253661.tif 000005
【図４】
2009253661.tif 000006
【図５】
2009253661.tif 000007
【図６】
2009253661.tif 000008